【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
選択用ストリップラインを有する回転基板と、
前記回転基板と相対する固定基板とを有し、
前記固定基板には、外部入力端子に接続され、前記選択用ストリップラインの一端と電気結合可能な入力側ストリップライン、及び複数の外部出力端子にそれぞれ接続され、前記選択用ストリップラインの他端と電気結合可能な複数本の出力側ストリップラインが形成されてなり、
前記選択用ストリップラインを介して前記入力側ストリップラインの所定の接続位置と前記出力側ストリップラインとが選択的に導通するようにしてなることを特徴とする切換器。
【請求項２】
前記接続位置は前記入力側ストリップラインに、入力波長のｎ／２倍（ｎ＝１，２，３，４・・・）の間隔でそれぞれ位置することを特徴とする請求項１記載の切換器。
【請求項３】
前記入力側ストリップラインの終端部と、該終端部から最も近い接続位置との間の長さが、入力波長の（ｎ／２＋１／４）倍（ｎ＝１，２，３，４，・・・・）であることを特徴とする請求項１または２記載の切換器。
【請求項４】
前記電気結合が非接触で行われることを特徴とする請求項１から３のうちひとつに記載の切換器。
【請求項５】
前記入力側ストリップラインと前記選択用ストリップラインの一端、及び前記出力側ストリップラインと前記選択用ストリップラインの他端とがそれぞれ空間的に重塁して電気結合が成されるようにして成ることを特徴とする請求項４記載の切換器。
【請求項６】
前記重塁部の長さが入力波長の１／４倍であることを特徴とする請求項５記載の切換器。
【請求項７】
前記選択用ストリップラインの一端及び他端の少なくともいずれか一方が略Ｔ字型に分岐して結合片を形成することを特徴とする請求項１から５のうちいずれかひとつに記載の切換器。
【請求項８】
前記結合片の長さが、入力波長のｎ／２倍（ｎ＝１，２，３，４・・・・）であることを特徴とする請求項７記載の切換器。
【請求項９】
選択用ストリップラインを有する回転基板と、
前記回転基板と相対する固定基板とを有し、
前記回転基板には、その回転中心点上に於いて該選択用ストリップラインの一端と接続され、更に外部入力端子と接続された導体を有する回転軸が設けられ、
前記固定基板には、複数の外部出力端子にそれぞれ接続され、前記選択用ストリップラインの他端と電気結合可能な複数本の出力側ストリップラインが設けられ、前記選択用ストリップラインを介して、前記外部入力端子と前記複数の外部出力端子とが選択的に導通されるようにしてなることを特徴とする切換器。
【請求項１０】
前記電気結合が非接触で行われることを特徴とする請求項９記載の切換器。
【請求項１１】
前記出力側ストリップラインと前記選択用ストリップラインの他端とがそれぞれ空間的に重塁して電気結合が成されることを特徴とする請求項１０記載の切換器。
【請求項１２】
前記重塁部の長さが入力波長の１／４倍であることを特徴とする請求項１１記載の切換器。
【請求項１３】
前記選択用ストリップラインの他端が略Ｔ字型に分岐して結合片を形成することを特徴とする請求項９から１１のうちいずれかひとつに記載の切換器。
【請求項１４】
前記結合片の長さが、入力波長のｎ／２倍（ｎ＝１，２，３，４・・・・）であることを特徴とする請求項１３記載の切換器。
【手続補正２】
【補正対象書類名】明細書
【補正対象項目名】０００１
【補正方法】変更
【補正の内容】
【０００１】
【発明の属する技術分野】
本発明は、マイクロ波、ミリ波等の高周波信号を伝送する際に出力端子の回路切換を行う切換器に係り、特に出力としてレーダ等のアンテナを切換るための切換器に関する。
【手続補正３】
【補正対象書類名】明細書
【補正対象項目名】０００５
【補正方法】変更
【補正の内容】
【０００５】
【課題を解決するための手段】  本発明はこれらの課題を解決するために、選択用ストリップラインを有する回転基板と、
前記回転基板と相対する固定基板とを有し、
前記固定基板には、外部入力端子に接続され、前記選択用ストリップラインの一端と電気結合可能な入力側ストリップライン、及び複数の外部出力端子にそれぞれ接続され、前記選択用ストリップラインの他端と電気結合可能な複数本の出力側ストリップラインが形成されてなり、
前記選択用ストリップラインを介して前記入力側ストリップラインの所定の接続位置と前記出力側ストリップラインとが選択的に導通するようにしてなることを特徴とする。
又、前記接続位置は前記入力側ストリップラインに、入力波長のｎ／２倍（ｎ＝１，２，３，４・・・）の間隔でそれぞれ位置することを特徴とする。
又、前記入力側ストリップラインの終端部と、該終端部から最も近い接続位置との間の長さが、入力波長の（ｎ／２＋１／４）倍（ｎ＝１，２，３，４，・・・・）であることを特徴とする。
【手続補正４】
【補正対象書類名】明細書
【補正対象項目名】０００６
【補正方法】変更
【補正の内容】
【０００６】
又、前記電気結合が非接触で行われることを特徴とする。
又、前記入力側ストリップラインと前記選択用ストリップラインの一端、及び前記出力側ストリップラインと前記選択用ストリップラインの他端とがそれぞれ空間的に重塁して電気結合が成されるようにして成ることを特徴とする。
【手続補正５】
【補正対象書類名】明細書
【補正対象項目名】０００７
【補正方法】変更
【補正の内容】
【０００７】
又、前記重塁部の長さが入力波長の１／４倍であることを特徴とする。
又、前記選択用ストリップラインの一端及び他端の少なくともいずれか一方が略Ｔ字型に分岐して結合片を形成することを特徴とする。
又、前記結合片の長さが、入力波長のｎ／２倍（ｎ＝１，２，３，４・・・・）であることを特徴とする。
【手続補正６】
【補正対象書類名】明細書
【補正対象項目名】０００８
【補正方法】変更
【補正の内容】
【０００８】
又、選択用ストリップラインを有する回転基板と、
前記回転基板と相対する固定基板とを有し、
前記回転基板には、その回転中心点上に於いて該選択用ストリップラインの一端と接続され、更に外部入力端子と接続された導体を有する回転軸が設けられ、
前記固定基板には、複数の外部出力端子にそれぞれ接続され、前記選択用ストリップラインの他端と電気結合可能な複数本の出力側ストリップラインが設けられ、前記選択用ストリップラインを介して、前記外部入力端子と前記複数の外部出力端子とが選択的に導通されるようにしてなることを特徴とする。
【手続補正７】
【補正対象書類名】明細書
【補正対象項目名】０００９
【補正方法】変更
【補正の内容】
【０００９】
又、前記電気結合が非接触で行われることを特徴とする。
又、前記出力側ストリップラインと前記選択用ストリップラインの他端とがそれぞれ空間的に重塁して電気結合が成されることを特徴とする。
【手続補正８】
【補正対象書類名】明細書
【補正対象項目名】００１０
【補正方法】変更
【補正の内容】
【００１０】
又、前記重塁部の長さが入力波長の１／４倍であることを特徴とする。
又、前記選択用ストリップラインの他端が略Ｔ字型に分岐して結合片を形成することを特徴とする。
又、前記結合片の長さが、入力波長のｎ／２倍（ｎ＝１，２，３，４・・・・）であることを特徴とする。